(57)【要約】【課題】  イマーションスーツ等の救命用衣服において、縫製等も容易に行えるだけでなく、股下や脇の下等に採用してもほころび等が生じにくくなるようにする。【解決手段】  イマーションスーツの脚部を、股部発泡ゴム布１５を用いて２分割構成とする。股部発泡ゴム布１５を本体発泡ゴム布１の脚部に縫い付ける縫い線Ｓは、体の正面側も背面側もともに他の部分とは擦れないように股の部分における正面側と背面側とに、すなわち内股合わせと称される部分の外側に出る。内股合わせ部分だけでなく脚部のほぼ全体で縫い線Ｓが激しく曲折する部分には位置しないことになり、着用者の動作によって大きな変形力が掛かっても、ほころび等が発生しにくくなる。股部のように深い曲折部分で縫製等の作業をしなくて済むようになるので、縫製等も容易に行える。【選択図】        図１
2006336161.tif 000002
【特許請求の範囲】
【請求項１】
イマーションスーツ等の救命用衣服において、股下、脇の下等のスーツ本体の曲折部とその周辺部を別部材で形成し、該別部材を前記スーツ本体の他部へ縫い付ける部位を前記曲折部外に設けてなることを特徴とする救命用衣服。
【請求項２】
イマーションスーツ等の救命用衣服において、スーツ本体を形成するための縫い線が複数集まる部位では、該縫い線を３本までとしたことを特徴とする救命用衣服。
【請求項３】
イマーションスーツ等の救命用衣服において、スーツ本体を形成するための縫い線が複数集まる部位では、該縫い線が４本以上となるときは、３本までの縫い線が集合することを許容し、４本目以降の縫い線は、集合箇所をずらしたことを特徴とする救命用衣服。
【請求項４】
イマーションスーツ等の救命用衣服において、顔面を外部へ臨ませる開口部の縁を形成する発泡ゴム等の周縁部材に、装着者の顔面を前記周縁部材に密着させるために前記装着者の頭部に掛ける弾性バンドを取り付けてなることを特徴とする救命用衣服。
【発明の詳細な説明】
【技術分野】
【０００１】
本発明は、救命用衣服に関し、詳細にはイマーションスーツ、イマージョンスーツ、耐寒耐水服、耐暴露服、サバイバルスーツ等と称されるものに用いるのに適したものに関する。
【背景技術】
【０００２】
イマーションスーツ等は、寒冷時における海上事故や海上災害等に備えるためのもので、特に寒冷海域における船舶の海難事故や海労作業中の転落事故、航空機の着水事故等々において、作業者、遭難者等が着用することにより、水中等で体温低下を防ぎ、冷静な対応を可能とし、事故時の保命率を高め得るものであることは周知の通りである。このようなイマーションスーツや耐暴露服は、海上における人命の安全のための国際条約（ＳＯＬＡＳ条約：32-3規則）により、個人用救命設備として貨物船での人数分の備え付けが義務化されるほど重要なものとなっている。
【０００３】
ところでイマーションスーツ等は、同じくＳＯＬＡＳ条約第III章第２０規則の７により、損傷がないかの目視検査を行い、ほころび、裂け目又は孔を発見して修理すべきことが規定されており、換言すれば、ほころび、裂け目、孔が経年的に生じにくいものが必要とされている。
【０００４】
そこでスーツ本体の材料は、例えば特殊な発泡ゴムを所定の厚さにスライスし、発泡ゴムだけでは十分な強度が出ないことを考慮し、表裏両面にナイロンのニット生地を貼り合わせ、ニット生地で強度を補っているものを用いたものがある。そのような例での発泡ゴム及びニット生地の接合部は、発泡ゴム及びニット生地のカット面同士を対向させて接着剤で接着し、特殊ミシンで表裏両面ともに表面を適宜の縫い糸を用いてすくい縫いにより縫い合わせている。
【特許文献１】特開平０６−３２２８３号公報
【発明の開示】
【発明が解決しようとする課題】
【０００５】
ところが、上述のような従来の材料、構造では、股下や脇の下等のように擦れやすい部分で、縫い目Ｓにおいてほころびや裂け目が非常に発生しやすかった。
【０００６】
すなわち従来のイマーションスーツでは、例えば股下部分では図９に示すような構造（図中Ｇが発泡ゴム、Ｎがニット生地、Ａが接着剤、Ｔが縫い糸、Ｓが縫い線）となり、内股合わせと称されるような縫い線Ｓがもっとも激しく曲折する部分に位置することになる。このような部分には着用者の動作によって大きな変形力が例えば図中に矢印で示すように掛かりやすく、本願発明者等の行った実験ではほころび等が非常に発生しやすく、解決が望まれる結果となっていた。
【０００７】
そこで本発明は、股下や脇の下等に採用してもほころび等が生じにくく、縫製等も容易に行える簡単な構造の救命用衣服を提供することを目的としている。
【０００８】
また本発明は、従来のイマーションスーツでは、小柄な人が着用した場合に顔面の周囲の部分での防水が不完全になりやすい点に鑑み、この点を改良した救命用衣服を提供することをも目的としている。
【課題を解決するための手段】
【０００９】
本発明の請求項１に係る救命用衣服は、イマーションスーツ等の救命用衣服において、股下、脇の下等のスーツ本体の曲折部とその周辺部を別部材で形成し、該別部材を前記スーツ本体の他部へ縫い付ける部位を前記曲折部外に設けてなることを特徴とする。
【００１０】
同請求項２に係るものは、イマーションスーツ等の救命用衣服において、スーツ本体を形成するための縫い線が複数集まる部位では、該縫い線を３本までとしたことを特徴とする。
【００１１】
同請求項３に係るものは、イマーションスーツ等の救命用衣服において、スーツ本体を形成するための縫い線が複数集まる部位では、該縫い線が４本以上となるときは、３本までの縫い線が集合することを許容し、４本目以降の縫い線は、集合箇所をずらしたことを特徴とする。
【００１２】
同請求項４に係るものは、イマーションスーツ等の救命用衣服において、顔面を外部へ臨ませる開口部の縁を形成する発泡ゴム等の周縁部材に、装着者の顔面を前記周縁部材に密着させるために前記装着者の頭部に掛ける弾性バンドを取り付けてなることを特徴とする。
【発明の効果】
【００１３】
本発明は、イマーションスーツ等の救命用衣服において、縫製等も容易に行えるだけでなく、股下や脇の下等に採用してもほころび等が生じにくくなる。
【００１４】
また本発明は、小柄な人が着用しても顔面の周囲の部分が装着者の顔面に密着しやすくなり、装着者の体型によらず防水性を保つことができる。
【発明を実施するための最良の形態】
【００１５】
以下本発明を実施するための最良の形態を、図に示す実施例を参照して説明する。
【実施例１】
【００１６】
図１は本発明の救命用衣服の一実施例に係るイマーションスーツを示す正面図(Ａ)と背面図（Ｂ）である。スーツ本体は、既述の従来の例と同様に、特殊な発泡ゴムを所定の厚さにスライスし、発泡ゴムだけでは十分な強度が出ないことを考慮し、表裏両面にナイロンのニット生地を貼り合わせ、ニット生地で強度を補っているものを用いたものである。図中１は本体発泡ゴム布、２は顔面縁部発泡ゴム布、３は顔面防水帯、４は防水ファスナー引手、５は防水ファスナー、６は手袋部、７はポケット、８は再帰反射材、９は脚部、１０は脚部テープである。また図中１１は補助浮力材、１２は引き上げベルト通しである。これらについては周知であるので詳細な説明は省略する。そして、図中１５が股部発泡ゴム布である。
【００１７】
図２は本体発泡ゴム布１等の構造を示す断面図である。図中２０が発泡ゴム布材（例えば厚み約５ｍｍ）、２１がナイロンニット布材、２２が接着剤、２３がミシン糸である。接合部は、図示のようにカット面同士を接着剤２２で接着し、特殊ミシンで両表面をすくい縫いで縫い合わせてある。
【００１８】
ところでこのような構造で、ミシン糸のほつれを修理するには、以下の手順で補修する。
（１）ほつれた糸が長く出ている場合は、ハサミなどでカットする。
（２）ほつれヵ所が長い場合は、接合部の接着状態も確認する。接着がしっかりしていた場合は（３）に進む。接着が剥がれている場合は、つぎの手順で補修する。
（I）接着剤を両面に塗り、手で触ってくっつかなくなるまで乾かす。
（II）両面をしっかり貼り合わせ、圧着して自然乾燥させる。
（３）接合部が盛り上がる（稜線状）ようにつまむ。
（４）ミシン糸２３（例えば＃３０以上の縫い糸）を使用して、縫い初め及び縫い終わりを５針以上重ねてすくい縫いする。この時、縫い針が裏側に出ないように表から例えば２ｍｍぐらいの所をすくい縫いする。
（５）縫い初め及び縫い終わりの糸は、ほつれないようにしっかり処理する。
（６）補修後、所要の（MSC/Circ.1114規定による）気圧試験を実施して、エアー漏れの無いことを確認する。
なお、接着剤２２としては硬化時間が短いボンド等を使用することが好ましい。
【００１９】
図３は本体発泡ゴム布１の脚部（装着者の脚１本だけの部分）の構造を示す断面図であり、図４は、股の付け根部分の構成を拡大して示す正面図である。図示のように本実施例のスーツの脚部は、股部発泡ゴム布１５を用いて２分割構成とし、縫い線Ｓが体の正面側も背面側もともに他の部分とは擦れないように股の部分における正面側と背面側とに、すなわち内股合わせと称される部分の外側に出る。なお、本実施例のような構造では、深い曲折部分では縫製等の作業をしないで済むので、縫製等も容易に行える。
【００２０】
そのため、内股合わせ部分だけでなく脚部のほぼ全体で縫い線Ｓが激しく曲折する部分には位置しないことになり、本願発明者等の行った実験では、着用者の動作によって大きな変形力が掛かっても、ほころび等が発生しにくくなった。なお、図示の実施例の構造は、内股合わせと称される部分以外の部分、例えば脇の下等に採用しても同様にほころび等が生じにくく、縫製等も容易に行えるようになる。
【実施例２】
【００２１】
図５は、本発明の第２実施例を示す概念図である。この実施例は、本体発泡ゴム布１を形成するための縫い線Ｓが複数集まる部位では、実施例１と同様に、集中する縫い線Ｓを３本までとするために、縫い線Ｓの集中箇所（図では４本であるが、もちろんそれ以上でも同様である）に、同質の発泡ゴム布等をパッチ３０として用いたものである。すなわち図中に「ｘ」を付した縫い線を存在させないようにしているのである。
【実施例３】
【００２２】
図６は、本発明の第３実施例を示す概念図である。この実施例は、本体発泡ゴム布１を形成するための縫い線Ｓが４本以上となり、パッチ等を採用したくないときに用いることができる例である。縫い線Ｓが３本までは集合することを許容し、４本目以降の縫い線Ｓは集合箇所をずらしている。これにより、実施例１、２と同様に、縫い線Ｓが集中することによる問題を解決している。
【実施例４】
【００２３】
図７は、本発明の第４実施例を示す概念的斜視図である。既に述べたように、従来のイマーションスーツでは小柄な人が着用した場合、顔面の周囲に位置する顔面縁部発泡ゴム布２が装着者の顔にぴったりとフィットすることができず、この部分での防水が不完全になりやすい。そこで、顔面縁部発泡ゴム布２に、ゴムベルト等の弾性バンド３１を縫い付ける等して固着しておき、スーツ装着者がこれを頭部に装着できるようにしてある。このような弾性バンド３１を用いれば、顔面縁部発泡ゴム布２を装着者の顔にぴったりとフィットさせることができ、防水性が向上する。
【００２４】
なお、顔面縁部発泡ゴム布２の頂部を３箇所ほど三角形に切り欠くように切り込み３２・・を形成し、他の部位と同様に接着とすくい縫いによる縫い合わせ等を施しておくと、装着者の顔面にフィットさせやすい。
【００２５】
図示は省略するが、この第４実施例と同様の目的を達成するためには、例えば本体発泡ゴム布１の頭部の外側に、締め付け可能なベルトを固着しておき、ベルトの締め、緩めによって装着者の体型に合わせ得るようにすることもできる。
【００２６】
また図８は、エアー漏れをチェックするための既述の気圧試験を実施している一例を示す図である。図中４０は空気注入治具で、人体の首から上と同じ形状した首体４１の口に装備してある。この首体４１を上述してきたようなイマーションスーツ４２内に入れ、定圧空気を注入できる装置、設備（コンプレッサー４３、フィルタ４４、空気圧調整ユニット４５、低圧力計４６等を用いて所要の気圧試験を実施し、エアー漏れの無いことを確認する。
【図面の簡単な説明】
【００２７】
【図１】本発明の救命用衣服の一実施例に係るイマーションスーツを示す正面図(Ａ)と背面図（Ｂ）
【図２】本体発泡ゴム布等の構造を示す断面図
【図３】本体発泡ゴム布の脚部の構造を示す断面図
【図４】股の付け根部分の構成を拡大して示す正面図
【図５】本発明の第２実施例の概念図
【図６】本発明の第３実施例の概念図
【図７】本発明の第４実施例を示す概念的斜視図
【図８】気圧試験の実施例を示す図
【図９】従来のイマーションスーツの股下部分の構造を示す断面図
【符号の説明】
【００２８】
１：本体発泡ゴム布
２：顔面縁部発泡ゴム布
３：顔面防水帯
４：防水ファスナー引手
５：防水ファスナー
６：手袋部
７：ポケット
８：再帰反射材
９：脚部
１０：脚部テープ
１１：補助浮力材
１２：引き上げベルト通し
１５：股部発泡ゴム布
２０：発泡ゴム布材
２１：ナイロンニット布材
２２：接着剤
２３：ミシン糸
３０：パッチ
３１：弾性バンド
３２：切り込み
４０：空気注入治具
４１：首体
４２：イマーションスーツ
４３：コンプレッサー
４４：フィルタ
４５：空気圧調整ユニット
４６：低圧力計
Ｓ：縫い線
【図１】
2006336161.tif 000003
【図２】
2006336161.tif 000004
【図３】
2006336161.tif 000005
【図４】
2006336161.tif 000006
【図５】
2006336161.tif 000007
【図６】
2006336161.tif 000008
【図７】
2006336161.tif 000009
【図８】
2006336161.tif 000010
【図９】
2006336161.tif 000011